(57)【特許請求の範囲】
【請求項１】
ケース板と、
躯体に取り付けられた左右のブラケットと、
前記左右のブラケット間に架け渡された１本ないし複数本の補強材と、
を備えたシャッターケースにおいて、
各ブラケットは、巻取シャフトの長さ方向端部が取り付けられた面部と、前記面部の周縁に形成された周片と、を備え、
前記補強材は、長さ方向両端部位が左右のブラケットの周片に面で当接するような長さ寸法を備えており、
前記左右のブラケットの少なくとも一方のブラケットの周片の一部を全幅ないし部分的に切り欠くことで、躯体に取り付けられた左右のブラケット間に、前記補強材を受け入れ可能な開口幅寸法を有する空間が形成されており、
前記補強材は、躯体に取り付けられた左右のブラケット間に前記空間から受け入れられ、長さ方向両端部位をそれぞれ前記左右のブラケットの周片に面で当接させて螺子で固定してなり、
前記補強材には、前記ケース板の上面の後端側に位置する上側補強材が含まれ、
前記左右のブラケットの上側の周片の後端側をそれぞれ切り欠くことで、躯体に取り付けられた左右のブラケットの上側の周片間に、前記上側補強材を受け入れ可能な開口幅寸法を有する空間が形成されており、
前記上側補強材は、当該上側補強材の上面を前記左右のブラケットの上側の周片の上面と一致させて、長さ方向両端部位が左右のブラケットの後側の周片に螺子で固定されている、
シャッターケース。
【請求項２】
前記ケース板の上面は、後端が前記上側補強材に固定されているケースリブに支持されており、
前記上側補強材の開口幅方向の所定部位には、前記ケースリブの固定兼位置決め用プレートが設けてあり、
前記ケースリブの後端は、前記固定兼位置決め用プレートに固定されている、
請求項１に記載のシャッターケース。
【請求項３】
前記一方のブラケットは従動側ブラケット、前記他方のブラケットは駆動側ブラケットであり、
前記駆動側ブラケットの面部には開閉機が固定されており、前記従動側ブラケットの周片の一部が切り欠かれている、
請求項１、２いずれか１項に記載のシャッターケース。
【発明の詳細な説明】
【技術分野】
【０００１】
本発明は、シャッターケースに関するものである。
【背景技術】
【０００２】
シャッターケースは、ケース板、左右のブラケット、左右のブラケット間に架け渡すケース補強材、ケースリブ等から構成されるが、ケース補強材やケースリブ材は溶接で固定する場合が多いが、現場での溶接作業は作業性が悪い。また、複数のケースリブを現場で開口幅方向に位置決めして固定しており、これも作業性が悪いものとなっている（ケースリブについては、特許文献１に記載されている）。
【０００３】
特許文献２には、螺子を用いてケース補強材を固定することが記載されているが、シャッターケースの各構成要素を螺子で固定する場合には、取付作業の観点において、各構成要素を溶接で固定する場合に比べて改良が必要である。例えば、部材同士を螺子で固定する場合には、溶接に比べて十分な重なり代を設けることが必要となり（溶接では接触部があれば良い）、その分、ケース補強材の長さ寸法が相対的に長くなる。
【特許文献１】特開平１０−２８０８３３号
【特許文献２】特開２００９−１０８４８５号
【発明の開示】
【発明が解決しようとする課題】
【０００４】
本発明は、ケース補強材を螺子で固定するものにおいて、良好な取付作業性を備えたシャッターケースの構造を提供することを目的とするものである。
【課題を解決するための手段】
【０００５】
本発明が採用した技術手段は、
ケース板と、
躯体に取り付けられた左右のブラケットと、
前記左右のブラケット間に架け渡された１本ないし複数本の補強材と、
を備えたシャッターケースにおいて、
各ブラケットは、巻取シャフトの長さ方向端部が取り付けられた面部と、前記面部の周縁に形成された周片と、を備え、
前記補強材は、長さ方向両端部位が左右のブラケットの周片に面で当接するような長さ寸法を備えており、
前記左右のブラケットの少なくとも一方のブラケットの周片の一部を全幅ないし部分的に切り欠くことで、躯体に取り付けられた左右のブラケット間に、前記補強材を受け入れ可能な開口幅寸法を有する空間が形成されており、
前記補強材は、躯体に取り付けられた左右のブラケット間に前記空間から受け入れられ、長さ方向両端部位をそれぞれ前記左右のブラケットの周片に面で当接させて螺子で固定してなる、
シャッターケース、である。
【０００６】
１つの態様では、前記一方のブラケットは従動側ブラケット、前記他方のブラケットは駆動側ブラケットであり、
前記駆動側ブラケットの面部には開閉機が固定されており、前記従動側ブラケットの周片の一部が切り欠かれている。
このものでは、開閉機が固定されたブラケットの強度をなるべく落とさないようにすることができる。
後述する実施形態では、前記周片は下側の周片を含み、当該下側の周片の一部が切り欠かれている。
１つの態様では、前記補強材には、前記ケース板の下面を支持するまぐさが含まれる。
１つの態様では、前記補強材には、シャッターケースの前面を支持する前側補強材が含まれる。
【０００７】
１つの態様では、前記補強材には、前記ケース板の上面の後端側に位置する上側補強材が含まれ、
前記左右のブラケットの上側の周片の後端側をそれぞれ切り欠くことで、躯体に取り付けられた左右のブラケットの上側の周片間に、前記上側補強材を受け入れ可能な開口幅寸法を有する空間が形成されており、
前記上側補強材は、当該上側補強材の上面を前記左右のブラケットの上側の周片の上面と一致させて、長さ方向両端部位が左右のブラケットの後側の周片に螺子で固定されている。
１つの態様では、前記ケース板の上面は、後端が前記上側補強材に固定されているケースリブに支持されており、
前記上側補強材の開口幅方向の所定部位には、前記ケースリブの固定兼位置決め用プレートが設けてあり、
前記ケースリブの後端は、前記固定兼位置決め用プレートに固定されている。
このものでは、ケースリブを現場で位置決めすることなく固定が可能である。
後述する実施形態では、固定兼位置決め用プレートの幅寸法と、ケースリブ（上側ケースリブ）の取付部の幅寸法を一致させてあり、ケースリブの取付部を固定兼位置決め用プレートに一致させて取り付けるようになっている。
【発明の効果】
【０００８】
本発明では、ブラケットの周片と補強材とを螺子で固定するために十分な重なり代を確保するものでありながら、躯体に取り付けられた左右のブラケット間に、当該補強材を容易に受け入れることができ、取付作業性に優れる。
【図面の簡単な説明】
【０００９】
【図１】シャッター装置の正面図（開口部全閉状態）である。
【図２】シャッター装置の上方部位を拡大して示す部分縦断面図である。
【図３】シャッターケースの縦断面図である。
【図４】シャッターケースの縦断面図（サイドカバーを示す）である。
【図５】シャッターケースの縦断面図（ケースつなぎ板を示す）である。
【図６】シャッターケースの端部を示す部分正面図である。
【図７】シャッターケースの端部を示す部分底面図である。
【図８】ケース上板を示す図である。
【図９】ケース下板を示す図である。
【図１０】従動側のブラケットを示す図である。
【図１１】駆動側のブラケットを示す図である。
【図１２】第１補強材を示す図である。
【図１３】第２補強材を示す図である。
【図１４】上側のケースリブを示す図である。
【図１５】下側のケースリブを示す図である。
【図１６】第１補強材とブラケットの連結構造を示す図である。
【図１７】第２補強材とブラケットの連結構造を示す図である。
【図１８】内まぐさとブラケットの連結構造を示す図である。
【図１９】上側のケースリブの上端の連結構造を示す図である。
【図２０】上側のケースリブの下端の連結構造、下側のケースリブの上端の連結構造を示す図である。
【図２１】下側のケースリブの下端の連結構造を示す図である。
【図２２】ケース上板とケース下板との連結構造を示す図である。
【発明を実施するための形態】
【００１０】
本発明の実施形態を図面に基づいて説明する。図１は、シャッター装置の正面図（開口部全閉状態）、図２は、シャッター装置の上方部位の縦断面図（開口部全開状態）であって、シャッター装置は、建物開口部の幅方向左右両端に立設された左右のガイドレール１と、建物開口部の上方に設けられたシャッターケース２と、シャッターケース２内に設けられた巻取シャフト３と、巻取シャフト３に上端が連結されたシャッターカーテン４と、を備えている。シャッターカーテン４は、複数枚のスラット４０を互いに連結することで形成されている。
【００１１】
躯体Ｗすなわち壁には左右のブラケット５、６が持ち出し状に設けられており、一方のブラケット５が従動側ブラケット、他方のブラケット６が駆動側ブラケットとなっている。巻取シャフト３は、左右のブラケット５、６間に回転可能に支持されており、駆動側のブラケット６に取り付けられた開閉機７により回転駆動される。巻取シャフト３の正逆回転に伴って、シャッターカーテン４が巻取シャフト３から繰り出されて下降して建物開口部を閉鎖し、また、シャッターカーテン４が巻取シャフト３に巻き取られて建物開口部を開放する。
【００１２】
左右のブラケット５、６間には、第１補強材８、第２補強材９、内まぐさ１０が、左右のブラケット５、６を架け渡すように設けてある。第１補強材８、第２補強材９、内まぐさ１０は、開口幅方向に水平状に延びる長尺部材であり、左右のブラケット５、６と共にシャッターケース２の骨組を構成している。第１補強材８は、シャッターケース２の上面の後端部位を支持補強し、第２補強材９は、シャッターケース２の前面を支持し、内まぐさ１０は、シャッターケース２の下面を支持補強している。後述するように、第１補強材８、第２補強材９、内まぐさ１０の長さ方向端部は、螺子を用いて左右のブラケット５、６に固定される。
【００１３】
内まぐさ１０は、躯体Ｗに対して離間対向しており、内まぐさ１０と躯体Ｗとの間には、建物開口部の幅方向に延びる開口Ｏが形成されており、当該開口Ｏによってシャッターケース２の内部空間と建物開口部が連通している。当該開口の長さ方向両端部には、左右のガイドレール１の上端部位が位置している。ガイドレール１の上端部位は、シャッターケース２の下面の高さ位置を越えて上方に延びており、内まぐさ１０の高さ位置に対応して拡開状の上部ガイド１Ａが形成されている。
【００１４】
シャッターカーテン４は、その幅方向両端部が左右のガイドレール１のガイド溝に案内されながら昇降するようになっている。建物開口部上方において、シャッターカーテン４の昇降経路に位置して、スムーサ組立体、すなわち、スラットガイド機構Ｇが設けてある。スラットガイド機構Ｇは、ガイドレール１の上端部位（シャッター芯Ｃ）を挟んで躯体Ｗとは反対側に位置して内まぐさ１０に固定されている。
【００１５】
シャッターケース２は、ケース上板２０と、ケース下板２１と、からなる。本実施形態では、ケース上板２０、ケース下板２１は、開口幅寸法に対して短尺の幅寸法を備えており、複数枚のケース上板２０、ケース下板２１を、開口幅方向に亘って連設することでシャッターケース２を形成している。上下に対応する短尺のケース上板２０とケース下板２１は同じ幅寸法となっている。
【００１６】
図８に示すように、ケース上板２０は、後方側（躯体側）に位置する水平状の第１上面２００と、第１上面２００の前端から前方に向かって下向き傾斜状に延びる傾斜状の第２上面２０１と、第２上面２０１の前端から垂下する前面２０２と、前面２０２の下端に形成した側面視Ｌ形状の上側連結片（前面２０２の下端から躯体側に延びる水平片２０３と、水平片２０３の後端から垂下する垂直片２０４からなる）と、第１上面２００の後端から立ち上がる垂直片２０５と、からなる。ケース上板２０は後端側において、垂直片２０５が螺子２０６によって躯体Ｗに固定されている。
【００１７】
図９に示すように、ケース下板２１は、水平状に延びる下面２１０と、下面２１０の前端から垂直状に立ち上がる垂直状の前面２１１と、前面２１１の上端に形成した側面視Ｌ形状の下側連結片（前面２１１の上端から後方に延びる水平片２１２と、水平片２１２の後端から立ち上がる垂直片２１３とからなる）と、からなる。ケース下板２１は後端側において、下面２１０が螺子２１４によって内まぐさ１０に固定されている。後に詳述するように、ケース上板２０の前端側、ケース下板２１の前端側は、垂直片２０４と垂直片２１３を重ね合わせて、螺子９８によって第２補強材９に固定されている。
【００１８】
隣接するケース上板２０、２０の近接する端部が内側からケースリブ１１によって支持され、隣接するケース下板２１、２１の近接する端部が内側からケースリブ１２によって支持されている。なお、上側のケースリブ１１は、隣接するケース上板２０、２０の近接する端部を跨ぐように設けられることに加えて、左右端部に位置するケース上板２０、２０の幅方向中間部位を支持するように配置されている（図７参照）。本実施形態では、左右端部に位置するケース上板２０、２０の端部は、左右のブラケット５、６まで達していない。
【００１９】
隣接するケース上板２０、２０の近接する端部を外側から覆うように上側ケースつなぎ板１３が設けられている、隣接するケース下板２１、２１の近接する端部を外側から覆うように下側ケースつなぎ板１４が設けてある。上側ケースつなぎ板１３は、ケース上板２０とほぼ同じ断面形状を有しており、隣接するケース上板２０、２０の端部を被覆するように位置させて螺子１３０で固定される。下側ケースつなぎ板１４は、ケース下板２１とほぼ同じ断面形状を有しており、隣接するケース下板２１、２１の端部を被覆するように位置させて螺子１４０で固定される。シャッターケース２の幅方向両端部には、左右のブラケット５、６をそれぞれ覆うようにサイドカバー１５が取り付けられる。サイドカバー１５は、ブラケット５、６全体に被せて螺子１５０で固定される。
【００２０】
図１０に示すように、従動側のブラケット５の垂直状に延びる面部５０には、軸受部５００が固定されており、軸受部５００に巻取シャフト３の従動側端部が回転自在に装着される。面部５０は、水平状の第１上縁、第１上縁の前端から前方に向かって下向き傾斜状に延びる第２上縁、第２上縁の前端から垂下する垂直状の前縁、第１上縁の後端から垂下する垂直状の後縁、前縁の下端と後縁の下端間に延びる水平状の下縁と、を備えている。
【００２１】
面部５０の第１上縁には、後方側（躯体側）に位置する水平状の第１上片５１が形成され、第２上縁には、第１上片５１の前端から前方に向かって下向き傾斜状に延びる第２上片５２が形成され、前縁には、第２上片５２の前端から垂下する垂直状の前片５３が形成され、下縁には、水平状の下片５４が形成され、後縁には、垂直状の後片５５が形成されている。後片５５の幅寸法は、第１上片５１、第２上片５２、前片５３、下片５４の幅寸法よりも大きい寸法（図示の態様ではほぼ２倍）となっている。
【００２２】
第１上片５１の前端と第２上片５２の後端、第２上片５２の前端と前片５３の上端、下片５４の後端と後片５５の下端、第１上片５１の後端と後片５５の上端は、それぞれ、連続状（端縁同士が近接している）に形成されている。第１上片５１の後端側は、第１上片５１の幅方向の一部（図示の態様では半部）を切り欠いて細幅状となっており、第１上片５１の後端と後片５５との間に前後方向に長方形状の切り欠き部５１０が形成されている。下片５４の前端は前片５３の下端にまで達しておらず、前片５３の下端と下片５４の前端との間に、下片５４の全幅に亘って、前後方向に長方形状の切り欠き部５４０が形成されている。
【００２３】
図１１に示すように、駆動側のブラケット６の垂直状に延びる面部６０には、スプロケット６００が回転自在に設けてあり、スプロケット６００に巻取シャフト３の駆動側端部がスプロケット６００と一体で回転するように装着される。面部６０には、開閉機（図２、図３参照）７が固定されるようになっており、開閉機７とスプロケット６００はローラチェーン７０によって伝動連結される。面部６０は、水平状の第１上縁、第１上縁の前端から前方に向かって下向き傾斜状に延びる第２上縁、第２上縁の前端から垂下する垂直状の前縁、第１上縁の後端から垂下する垂直状の後縁、前縁の下端と後縁の下端間に延びる水平状の下縁と、を備えている。
【００２４】
面部６０の第１上縁には、後方側（躯体側）に位置する水平状の第１上片６１が形成され、第２上縁には、第１上片６１の前端から前方に向かって下向き傾斜状に延びる第２上片６２が形成され、前縁には、第２上片６２の前端から垂下する垂直状の前片６３が形成され、下縁には、水平状の下片６４が形成され、後縁には、垂直状の後片６５が形成されている。後片６５の幅寸法は、第１上片６１、第２上片６２、前片６３、下片６４の幅寸法よりも大きい寸法（図示の態様ではほぼ２倍）となっている。
【００２５】
第１上片６１の前端と第２上片６２の後端、第２上片６２の前端と前片６３の上端、前片６３の下端と下片６４の前端、下片６４の後端と後片６５の下端、第１上片６１の後端と後片６５の上端は、それぞれ、連続状（端縁同士が近接している）に形成されている。第１上片６１の後端側は、第１上片６１の幅方向の一部（図示の態様では半部）を切り欠いて細幅状となっており、第１上片６１の後端と後片６５との間に前後方向に長方形状の切り欠き部６１０が形成されている。
【００２６】
図１０、図１１に示すように、左右のブラケット５、６の面部５０、６０の下方部位には、まぐさ取付部材１６が固定されており、まぐさ取付部材１６は、面部５０、６０に当接して固定される第１片１６０と、面部５０、６０に対して垂直状に立ち上がる第２片１６１とから断面視Ｌ形状に形成されたアングル材である。ブラケット５、６は、それぞれ後片５５、６５を躯体Ｗに当接させて螺子（図示せず）で固定される。
【００２７】
図１２に示すように、第１補強材８は、断面視ほぼＣ形状の長尺部材である。より具体的には、第１補強材８は、垂直状の底辺８０と、底辺８０の上端から前方に向かって延びる水平状の上辺８１と、底辺８０の下端から前方に向かって延びる水平状の下辺８２と、上辺８１の先端から垂下する上側垂直辺８３と、下辺８２の先端から立ち上がる下側垂直辺８４と、を備えている。第１補強材８の底辺８０には、長さ方向両端部において、それぞれ、横長孔８５が上下に間隔を存して形成されている。
【００２８】
第１補強材８の長さ方向の所定部位には、長さ方向に間隔を存して横長方形状のリブ固定用プレート８６が固定されている。より具体的には、リブ固定用プレート８６は、上側のケースリブ１１の取付場所に位置させて、上側垂直辺８３、下側垂直辺８４に跨るように配置され、上側垂直辺８３、下側垂直辺８４に溶接されている。後述するように、リブ固定用プレート８６の横幅寸法ｗ１は、上側のケースリブ１１の後端部の幅寸法（左右の片１１８の端部間の寸法ｗ１）と一致しており、取付時に同時に位置決めが行われる。リブ固定用プレート８６の個数は、上側のケースリブ１１の本数と一致している。
【００２９】
図１３に示すように、第２補強材９は、断面視ハット形状の長尺部材である。より具体的には、第２補強材９は、垂直状の底辺９０と、底辺９０の上端から前方に向かって延びる水平状の上辺９１と、底辺９０の下端から前方に向かって延びる水平状の下辺９２と、上辺９１の先端から立ち上がる上側垂直辺９３と、下辺９２の先端から垂下する下側垂直辺９４と、を備えている。第２補強材９は、底辺９０、上辺９１、下辺９２から形成される凹部が正面（前方）を向くように、左右のブラケット５、６間に架け渡して設けられる。
【００３０】
内まぐさ１０は、側面視正方形状の角パイプ１００と、角パイプ１００に固定した板状部材と、から形成されている。角パイプ１００は、上面１０００と、下面１００１と、後面１００２と、前面１００３と、を備えている。板状部材は、水平辺１０１と、水平辺１０１の後端から垂直状に立ち上がる垂直辺１０２と、垂直辺１０２の上端から前方に向かって延びる水平辺１０３と、水平辺１０１の前端から垂直状に立ち上がる垂直辺１０４と、からなり、水平辺１０１を角パイプ１００の下面１００１に、垂直辺１０４を角パイプ１００の前面１００３の下方部位にそれぞれ当接させて、固定（溶接）されており、水平辺１０１の後端は角パイプ１００の後面１００２を越えて延びており、垂直辺１０２と躯体Ｗとの間にシャッターカーテン４を挿通させる開口Ｏが形成されている。垂直辺１０２の上端と角パイプ１００の上面１０００との間に傾斜状の板片１０５（図２参照）が接続されているが、この板片１０５は、内まぐさ１０の全長に対して短尺であり、角パイプ１００及び板状部材の長さ方向に間隔を存して複数枚設けてあり、スラットガイド機構Ｇの内まぐさ１０に対する固定を妨げるものではない。なお、外まぐさ１７（図２〜図５参照）は、左右のガイドレール１間の距離よりも短尺であり、躯体Ｗに螺子で固定されている。
【００３１】
図１４に示すように、上側のケースリブ１１は、後方側に位置する水平状の第１上面１１０と、第１上面１１０の前端から前方に向かって下向き傾斜状に延びる第２上面１１１と、を備えており、第１上面１１０の上にケース上板２０の第１上面２００が載って支持され、第２上面１１１の上にケース上板２０の第２上面２０１が載って支持される。ケースリブ１１は、傾斜状の第２上面１１１の前端から垂下する垂直状の前片１１２を備えている。
【００３２】
ケースリブ１１は、第１上面１１０、第２上面１１１の幅方向両端から対向状に下方に延びる一対の側面を備えており、当該側面は、第１上面１１０に対応する第１部分１１３と、第２上面１１１に対応する第２部分１１４と、第２部分１１４の前端から垂下する第３部分１１５と、第１部分１１３の後方かつ下方に位置する第４部分１１６と、を有している。ケースリブ１１の第３部分１１５は、前片１１２の下端よりも下方に延びており、第３部分１１５の下端には、互いに離間する方向に延びる一対の水平状の取付片１１７が形成されている。前片１１２と第３部分１１５の垂直状の前縁は離間して隙間が形成されている。
【００３３】
ケースリブ１１の第４部分１１６の上半部の後端（第１上面１１０の後端に一致している）から互いに離間するように延びる一対の垂直状の取付片１１８が形成されている。第４部分１１６の下半部の後端は第１上面１１０の後端よりもさらに後方に延びており、当該後端を接続するように垂直状の後面１１９が形成されている。第４部分１１６には、上半部の後端の下端と下半部の後端の上端とを結ぶように水平状の上縁１１６０が形成されている。ケースリブ１１の後端側には、側面視において、垂直状の取付片１１８、水平状の上縁１１６０、第１上面１１０を後端側へ延ばした水平状の仮想上面、後面１１９を上方へ延ばした垂直状の仮想後面、からなる縦長方形の空間が形成されており、当該空間に、第１補強材８が納まるようになっている。
【００３４】
ケースリブ１１の対向状の側面の下端縁は、全体として側面視下向き凹状（上向き凸状）となっており、シャッターケース２内部の上方部位に、巻取シャフト３に巻装されたシャッターカーテン４が占める空間を確保している。また、ケースリブ１１は、開口部全閉状態でシャッターカーテン４が持ち上げられた場合にシャッターカーテン４に当接して持ち上げ力に対抗する持ち上げ防止機能を有する。本実施形態では、ケースリブ１１は第１部材（第１上面１１０、第２上面１１１、前片１１２、第１部分１１３、第２部分１１４、第３部分１１５、水平状の取付片１１７を構成する）、第２部材（第４部分１１６、垂直状の取付片１１８、後面１１９を構成する）の２部材を溶接することで形成されているが、ケースリブ１１を構成する部材の数は限定されない。
【００３５】
下側のケースリブ１２は、水平状の下面１２０と、下面１２０の先端側から立ち上がる垂直状の前面１２１と、を備えており、下ケース板２１の下面２１０が下面１２０に当接し、下ケース板の前面２１１が前面１２１に当接するようになっている。ケースリブ１２は、下面１２０、前面１２１の幅方向両端から対向状に延びる一対の側面を備えており、当該側面は、下面１２０に対応する第１部分１２２、前面に対応する第２部分１２３を備えている。言い換えると、ケースリブ１２は、下面１２０と一対の第１部分１２２からなる断面視コ字状の水平部分と、前面１２１と一対の第２部分１２３からなる断面視コ字状の垂直部分と、からなる側面視Ｌ形状の部材を備えている。
【００３６】
さらに、水平部分（下面１２０、側面の第１部分１２２）の後端には、断面視ハット型の垂直状部材が固定（溶接）されている。垂直状部材は、一対の側面１２４と、側面１２４の後縁から互いに離間するように延びる一対の垂直状の取付片１２５と、底面１２６と、を備えている。垂直状の取付片１２５の高さ寸法は、側面１２４の高さ寸法に比べて短尺である。側面１２４の上方部位は後方側に延びており、係止片１２４０が形成されている。
【００３７】
さらに、垂直部分（前面１２１、側面の第２部分１２３）の上方部位において、前面１２１、第２部分１２３の幅方向の一部が切り欠かれており、垂直部分の上端は、後側の第１上縁１２３０と、第１上縁１２３０に対して低い位置にある前側の第２上縁１２３１と、から形成されている。垂直部分の切り欠き部には、断面視コ字状の部材１２７が固定（溶接）されている。部材１２７は、垂直状の面部１２７０と、一対の側面１２７１と、からなり、面部１２７０の幅寸法は、前面１２１の幅寸法よりも僅かに大きく、部材１２７の下縁を第２上縁１２３１上に載せ、側面１２７１の内面を側面の第２部分１２３の外面に当接かつ溶接されている。部材１２７の上縁は、側面の第２部分１２３の第１上縁１２３０と同じ高さに位置している。部材１２７の面部１２７０は、前面１２１よりも後方側に位置している。
【００３８】
本実施形態に係るシャッターケース２の各要素の取り付け順序について説明する。先ず、左右のブラケット５、６の後片５５、６５を躯体Ｗに当接させて螺子（図示せず）で固定する。次いで、左右のブラケット５、６の面部５０、６０間に、巻取シャフト３を取り付けると共に、駆動側のブラケット６の面部６０に開閉機７を取り付ける。次いで、巻取シャフト３にシャッターカーテン４を取り付け、さらに、左右のガイドレール１を取り付ける。次いで、第１補強材８、第２補強材９、内まぐさ１０（ガイドレール１を取り付け時に位置決めに用いる）、を左右のブラケット５、６間に取り付け、第１補強材８と第２補強材９間に上側のケースリブ１１を取り付け、第２補強材９と内まぐさ１０間に下側のケースリブ１２を取り付け、そして、ケース上板２０、ケース下板２１を取り付ける。最後に、隣接するケース上板２０、２０の端部を覆うように上側ケースつなぎ板１３が取り付けられ、隣接するケース下板２１、２１の端部を覆うように下側ケースつなぎ板１４が取り付けられ、左右のブラケット５、６を覆うようにサイドカバー１５が取り付けられる。
【００３９】
図１６を参照しつつ、第１補強材８の固定について説明する。図１０、図１１に示すように、左右のブラケット５、６の後片５５、６５の上方部位には、後片５５、６５の幅方向において面部５０、６０から遠い側の半部に位置して２本の螺子１８が高さ方向に間隔を存して設けてある。螺子は、後片５５、６５の外面から設けてあり、後片５５、６５の内面から軸部１８０が突設（後方から前方に向かって）されている。図１２に示すように、第１補強材８の底辺８０の長さ方向両端部には、螺子１８に対応するように高さ方向に間隔を存して横長孔８５が形成されている。
【００４０】
第１補強材８は、ブラケット５の第１上片５１の後端側に形成した長方形状の切り欠き部５１０と、ブラケット６の第１上片６１の後端側に形成した長方形状の切り欠き部６１０と、の間の空間から、躯体Ｗに取り付けられた左右のブラケット５、６間に受け入れられ、底辺８０の長さ方向両端部に形成された横長孔８５に螺子１８の軸部１８０を通すようにして仮固定する。この時、第１補強材８の長さ方向端部は、それぞれ、ブラケット５、６の第１上片５１、６１に形成した切り欠き部５１０、６１０に位置しており、上辺８１の上面とブラケット５、６の第１上片５１、６１の上面とは同一高さレベルにある。左右のブラケット５、６の第１上片５１、６１の後端側に形成した切り欠き部５１０、６１０間の空間の開口幅方向の寸法（第１上片５１、６１の後端側の細幅部の縁５１００、６１００間の距離）は、第１補強材８を受け入れ可能な寸法に形成されている。また、切り欠き部５１０、６１０の縁５１０１、６１０１と、後片５５、６５との間の距離ｄ１は、第１補強材８の端部が通過できるような寸法となっている。なお、第１補強材８の上辺８１の上面と左右のブラケット５、６の第１上片５１、６１の上面とを一致させたものにおいて、ケース板の開口幅両端部が左右のブラケットまで延びるような場合に、ケース板が同一の面に載るので、ケース板の下に隙間が生じることがなく、ケース板の取付状態が良好である。
【００４１】
第１補強材８を左右のブラケット５、６間に仮固定した状態において、第１補強材８の上側垂直辺８３と下側垂直辺８４との間に形成されている空間から差し入れた治具によって、軸部１８０にナット１８１を締めつけることで、左右のブラケット５、６間に固定される。なお、必ずしも、第１補強材８の前面の長さ方向全体に亘って空間（上側垂直辺８３と下側垂直辺８４の間の空間）が形成されている必要はなく、前面の長さ方向両端部においてのみ空間が形成されているものでもよい。
【００４２】
図１７を参照しつつ、第２補強材９の固定構造について説明する。第２補強材９は、ブラケット５の下片５４の前端側に形成した切り欠き部５４０と、ブラケット６の下片６４の後端側と、の間の空間から、躯体Ｗに取り付けられた左右のブラケット５、６間に受け入れられる。従動側のブラケット５の下片５４の前端側に形成した切り欠き部５４０と、駆動側ブラケット６の下片６４間の空間の開口幅寸法（面部５０と下片６４の縁との間の距離）は、第２補強材９を受け入れ可能な寸法に形成されている。また、切り欠き部５４０の縁５４００と前片５３との間の距離ｄ２は、第２補強材９の端部が通過できるような寸法となっている。
【００４３】
左右のブラケット５、６間に受け入れられた第２補強材９は、左右のブラケット５、６の前片５３、６３の上方寄りの部分に、第２補強材９の上側垂直辺９３、下側垂直辺９４の長さ方向両端部を当接させ、螺子９５で止着することで、第２補強材９を左右のブラケット５、６間に固定する。
【００４４】
図１８を参照しつつ、内まぐさ１０の固定構造について説明する。内まぐさ１０は、ブラケット５の下片５４の前端側に切り欠き形成した切り欠き部５４０と、ブラケット６の下片６４の後端側と、の間の空間から、躯体Ｗに取り付けられた左右のブラケット５、６間に受け入れられる。従動側のブラケット５の下片５４の前端側に形成した切り欠き部５４０と、駆動側ブラケット６の下片６４間の空間の開口幅寸法（面部５０と下片６４の縁との間の距離）は、内まぐさ１０を受け入れ可能な寸法に形成されている。また、切り欠き部５４０の縁５４００と前片５３との間の距離ｄ２は、内まぐさ１０の端部が通過できるような寸法となっている。
【００４５】
図１０、図１１に示すように、左右のブラケット５、６の面部５０、６０には、まぐさ取付部材１６が固定されている。左右のブラケット５、６間に受け入れられた内まぐさ１０は、内まぐさ１０の角パイプ１００の前面１００３の長さ方向両端部を、まぐさ取付部材１６の第２片（取付片）１６１に当接させ、内まぐさ１０の角パイプ１００の下面１００１の長さ方向両端部を、ブラケット５、６の下片５４、６４に当接させ、それぞれ螺子１００４、１００５で固定する。
【００４６】
図１９を参照しつつ、上側のケースリブ１１の上端側（後端側）の取付構造について説明する。ケースリブ１１の後面１１９を躯体Ｗに当接ないし近接させた状態で、水平状の上縁１１６０を第１補強材８の下辺８２に下方から当接させ、ケースリブ１１の後端の垂直状の取付片１１８をリブ固定用プレート８６に当接させ、螺子８７で固定する。この時、リブ固定用プレート８６の横幅寸法と、ケースリブ１１の後端の垂直状の取付片１１８、１１８間の寸法は、同じ寸法ｗ１を備えているので、ケースリブ１１の位置合わせが容易である。第１補強材８の所定部位に予めリブ固定用プレート８６を固定（溶接）して工場から出荷すれば、現場において上側ケースリブ１１を位置決めすることなく第１補強材８に固定することができる。
【００４７】
図２０を参照しつつ、上側のケースリブ１１の下端側（前端側）の取付構造について説明する。上側のケースリブ１１の水平状の取付片１１７を、第２補強材９の上辺９１に当接させ、螺子９６で固定する。この時、ケースリブ１１の側面の第３部分１１５及び水平状の取付片１１７の前縁は、第２補強材９の上側垂直辺９３の後方側に位置しており、ケースリブ１１の前片１１２は、第２補強材９の上側垂直辺９３よりも前方側に位置している。ケースリブ１１の前片１１２の前後方向の位置は、ブラケット５、６の前片５３、６３の位置と同じ位置にある。
【００４８】
図２０を参照しつつ、下側のケースリブ１２の上端側（前端側）の取付構造について説明する。ケースリブ１２の水平状の上端（第２部分１２３の第１上縁１２３０、部材１２７の上端）を、第２補強材９の下辺９２に下方から当接させ、部材１２７の面部１２７０を、第２補強材９の下側垂直辺９４に当接させ、螺子９７で固定する。第２補強材９に対する下側のケースリブ１２の上端の取付位置を、第２補強材９に固定された上側のケースリブ１１の下端の取付位置に合わせることで、下側のケースリブ１２を位置決めすることができる。
【００４９】
図２１を参照しつつ、下側のケースリブ１２の下端側（後端側）の取付構造について説明する。ケースリブ１２の後端の係止片１２４０を角パイプ１００の上面１０００に係止させ、ケースリブ１２の垂直状の取付片１２５を、内まぐさ１０の角パイプ１００の前面１００３に当接させて、螺子１０６で固定する。
【００５０】
図２２を参照しつつ、ケース上板２０、ケース下板２１の取付構造について説明する。躯体Ｗに左右のブラケット５、６を取り付け、ブラケット５、６間に第１補強材８、第２補強材９、内まぐさ１０を螺子１８、９５、１００４、１００５で連結し、第１補強材８と第２補強材９間に開口幅方向に亘って間隔を存して複数の上側のケースリブ１１を螺子８７、９６で連結し、第２補強材９と内まぐさ１０間に開口幅方向に亘って間隔を存して複数の下側のケースリブ１２を螺子９７、１０６で連結して骨組が形成されている。この骨組に対して、ケース上板２０、ケース下板２１が取り付けられる。
【００５１】
ケース上板２０の第１上面２００、第２上面２０１、前面２０２を、それぞれ、上側のケースリブ１１の第１上面１１０、第上面１１１、前片１１２に当接させ、後端側の垂直片２０５を躯体Ｗに当接させて螺子２０６で固定する。
【００５２】
ケース下板２１は、前面２１１の上端側、下面２１０の後端側において、それぞれ螺子で固定される。固定の順序は、前面２１１の上端側を先に固定して、その後に下面２１０の後端側を固定しても、あるいは、その逆でもよい。
【００５３】
ケース下板２１の下面２１０を取り付ける場合には、ケース下板２１の下面２１０、前面２１１を、それぞれ、下側のケースリブ１２の下面１２０、前面１２１に下方から当接させ、下面２１０の後端側を内まぐさ１０の下面に螺子２１４で固定する。内まぐさ１０の板状部材には、水平辺１０１と垂直辺１０２の角部に位置して、断面視Ｌ形状で開口幅方向に延びる長尺状の取付部材１０７が設けてある（図５参照）。取付部材１０７の垂直片１０７０が垂直辺１０２に当接しており、水平片１０７１は、水平片１０７１と水平辺１０１との間に下面２１０を挟み込むように下面２１０に当接している。下面２１０の後端側は、取付部材１０７の水平片１０７１を介して内まぐさ１０の下面に螺子２１４で固定されている。
【００５４】
ケース下板２１は、下面２１０の後端側部位が固定された状態で、もしくは、下面２１０の後端側部位が自由な状態で、前面２１１の上端に形成された水平片２１２と垂直片２１３からなる下側連結片が、第２補強材９の底辺９０、上辺９１、下辺９２から形成される凹部内に位置し、垂直片２１３が第２補強材９の底辺９０に当接している。ケース上板２０は、第１上面２００の後端側部位が固定された状態で、前面２０２の下端に形成された水平片２０３と垂直片２０４からなる上側連結片が、第２補強材９の底辺９０、上辺９１、下辺９２から形成される凹部内に位置し、垂直片２０４が底辺９０に当接した垂直片２１３に対して当接しており、この状態で、ケース下板２１の垂直片２１３が第２補強材９の底辺９０とケース上板２０の垂直片２０４との間に挟まれているため、ケース下板２１の下方への回動が規制され、仮固定状態にある。そして、垂直片２０４、垂直片２１３、底辺９０が重なった状態で、正面から螺子９８で固定される（図２２参照）。このように、ケース下板２１の上端側の垂直片２１３は、ケース上板２０の下端側の垂直片２０４と第２補強材９の底辺９０間に挟まれた状態で仮固定され、この仮固定状態で正面から螺子９８を締めて固定すればよいので、作業性が良好である。螺子９８の頭部は、凹部の奥まった位置にあるので、外部から螺子９８の頭が見えにくく、意匠性が良い。
【符号の説明】
【００５５】
２  シャッターケース
２０  ケース上板
２１  ケース下板
５  従動側のブラケット
５１  第１上片
５３  前片
５４  下片
５５  後片
６  駆動側のブラケット
６１  第１上片
６３  前片
６４  下片
６５  後片
８  第１補強材
９  第２補強材
１０  内まぐさ
１１  上側のケースリブ
１８  螺子
９５  螺子
１００５  螺子
【図１】
0006482860.tif 000002
【図２】
0006482860.tif 000003
【図３】
0006482860.tif 000004
【図４】
0006482860.tif 000005
【図５】
0006482860.tif 000006
【図６】
0006482860.tif 000007
【図７】
0006482860.tif 000008
【図８】
0006482860.tif 000009
【図９】
0006482860.tif 000010
【図１０】
0006482860.tif 000011
【図１１】
0006482860.tif 000012
【図１２】
0006482860.tif 000013
【図１３】
0006482860.tif 000014
【図１４】
0006482860.tif 000015
【図１５】
0006482860.tif 000016
【図１６】
0006482860.tif 000017
【図１７】
0006482860.tif 000018
【図１８】
0006482860.tif 000019
【図１９】
0006482860.tif 000020
【図２０】
0006482860.tif 000021
【図２１】
0006482860.tif 000022
【図２２】
0006482860.tif 000023